(57)【要約】【課題】ライフログの利用性をより高めること。【解決手段】リスト端末１は、ＬＣＤ１４と、撮像部２２と、トリガ判定部５６と、撮像制御部５４と、ログ情報取得部５７とを備える。リスト端末１は、ユーザの身体に装着して使用される。ＬＣＤ１４は、情報を表示する。撮像部２２は、撮像する。トリガ判定部５６は、ユーザがＬＣＤ１４を視認したと推定される動作を行ったか否かを判定する。撮像制御部５４は、トリガ判定部５６によって、ユーザがＬＣＤ１４を視認したと推定される動作を行ったと判定された場合に、撮像部２２によって記録用画像を撮像させる。ログ情報取得部５７は、予め設定されたライフログ情報を取得し、当該ライフログ情報と記録用画像とを対応付けて記憶する。【選択図】図２
2016163145.tif 000002
【特許請求の範囲】
【請求項１】
情報を表示する表示手段と、
撮像する撮像手段と、
ユーザが前記表示手段を視認したと推定される動作を行ったか否かを判定する判定手段と、
前記判定手段によって、ユーザが前記表示手段を視認したと推定される動作を行ったと判定された場合に、前記撮像手段によって記録用画像を撮像させる撮像制御手段と、
予め設定されたライフログ情報を取得し、当該ライフログ情報と前記記録用画像とを対応付けて記憶するログ情報取得手段と、
を備えることを特徴とする電子機器。
【請求項２】
前記記録用画像に含まれる前記ユーザの表情を解析する解析手段をさらに備え、
前記ログ情報取得手段は、前記解析手段によって表情が解析された前記記録用画像と、前記表情を示す情報とを対応付けて記憶することを特徴とする請求項１に記載の電子機器。
【請求項３】
自装置における物理量を検出する物理量検出手段を備え、
前記判定手段は、前記物理量検出手段の検出結果に基づいて、ユーザが前記表示手段を視認したと推定される動作を行ったか否かを判定することを特徴とする請求項１又は２に記載の電子機器。
【請求項４】
自装置が装着されたユーザの生体情報を検出する生体情報検出手段を備え、
前記ログ情報取得手段は、前記予め設定されたライフログ情報として、前記生体情報検出手段によって検出された生体情報を取得することを特徴とする請求項１から３のいずれか１項に記載の電子機器。
【請求項５】
前記判定手段は、前記生体情報検出手段によって検出された前記生体情報が予め設定された生体情報の条件に合致するか否かをさらに判定し、
前記撮像制御手段は、前記判定手段によって、前記生体情報が前記予め設定された生体情報の条件に合致すると判定された場合に、前記撮像手段によって前記記録用画像を撮像させ、
前記ログ情報取得手段は、前記判定手段によって、前記生体情報が前記予め設定された生体情報の条件に合致すると判定された場合に、前記予め設定されたライフログ情報として、前記生体情報検出手段によって検出された生体情報を取得することを特徴とする請求項４に記載の電子機器。
【請求項６】
実行されるアプリケーションを管理するアプリケーション管理手段を備え、
前記判定手段は、前記アプリケーション管理手段によって管理されている前記アプリケーションの状態に基づいて、ユーザが前記表示手段を視認したと推定される動作を行ったか否かを判定することを特徴とする請求項１から５のいずれか１項に記載の電子機器。
【請求項７】
前記ログ情報取得手段は、前記判定手段によって、ユーザが前記表示手段を視認したと推定される動作を行ったと判定された場合に、前記予め設定されたライフログ情報として、前記アプリケーションに関する情報を取得することを特徴とする請求項６に記載の電子機器。
【請求項８】
前記判定手段は、前記アプリケーション管理手段によって管理されている前記アプリケーションの状態が予め設定されたアプリケーションの条件に合致するか否かをさらに判定し、
前記撮像制御手段は、前記判定手段によって、前記アプリケーションの状態が前記予め設定されたアプリケーションの条件に合致すると判定された場合に、前記撮像手段によってライフログのための画像を撮像し、
前記ログ情報取得手段は、前記判定手段によって、前記アプリケーションの状態が予め設定されたアプリケーションの条件に合致すると判定された場合に、前記予め設定されたライフログ情報として、前記アプリケーションに関する情報を取得することを特徴とする請求項７に記載の電子機器。
【請求項９】
情報を表示する表示手段と、撮像する撮像手段とを備え、ユーザの身体に装着して使用される電子機器における情報取得方法であって、
ユーザが前記表示手段を視認したと推定される動作を行ったか否かを判定する判定ステップと、
前記判定ステップにおいて、ユーザが前記表示手段を視認したと推定される動作を行ったと判定された場合に、前記撮像手段によって記録用画像を撮像する撮像制御ステップと、
前記判定ステップにおいて、ユーザが前記表示手段を視認したと推定される動作を行ったと判定された場合に、予め設定されたライフログ情報を取得し、前記記録用画像と対応付けて記憶するログ情報取得ステップと、
を含むことを特徴とする情報取得方法。
【請求項１０】
情報を表示する表示手段と、撮像する撮像手段とを備え、ユーザの身体に装着して使用される電子機器を制御するコンピュータに、
ユーザが前記表示手段を視認したと推定される動作を行ったか否かを判定する判定機能と、
前記判定機能によって、ユーザが前記表示手段を視認したと推定される動作を行ったと判定された場合に、前記撮像手段によって記録用画像を撮像する撮像制御機能と、
前記判定機能によって、ユーザが前記表示手段を視認したと推定される動作を行ったと判定された場合に、予め設定されたライフログ情報を取得し、前記記録用画像と対応付けて記憶するログ情報取得機能と、
を実現させることを特徴とするプログラム。
【発明の詳細な説明】
【技術分野】
【０００１】
本発明は、電子機器、情報取得方法及びプログラムに関する。
【背景技術】
【０００２】
従来、ユーザの身体等に装着され、日常遭遇する風景を撮影して記録するライフログカメラと呼ばれるカメラが利用されている。
例えば、特許文献１には、自動車の前方を撮像するカメラと、運転者の顔画像を撮像するカメラとを備え、自動車の前方を撮像するカメラが撮像した画像において、運転者の顔画像から運転者が視線を向けた対象を認識して記録する技術が記載されている。
【先行技術文献】
【特許文献】
【０００３】
【特許文献１】特開２００６−１７２２１５号公報
【発明の概要】
【発明が解決しようとする課題】
【０００４】
しかしながら、ライフログカメラ等を用いて日常の風景を記録した場合、類似する画像が膨大に記録されることから、後にユーザが目的とする画像を検索することが困難であった。また、後に画像を見た場合に、ユーザが自身の分析や改善を適切に行うことは必ずしも容易ではなかった。
即ち、従来のライフログを記録する技術においては、ライフログの利用性が十分に高いものではなかった。
【０００５】
本発明は、このような状況に鑑みてなされたものであり、ライフログの利用性をより高めることを目的とする。
【課題を解決するための手段】
【０００６】
上記目的を達成するため、本発明の一態様の電子機器は、
情報を表示する表示手段と、
撮像する撮像手段と、
ユーザが前記表示手段を視認したと推定される動作を行ったか否かを判定する判定手段と、
前記判定手段によって、ユーザが前記表示手段を視認したと推定される動作を行ったと判定された場合に、前記撮像手段によって記録用画像を撮像させる撮像制御手段と、
予め設定されたライフログ情報を取得し、当該ライフログ情報と前記記録用画像とを対応付けて記憶するログ情報取得手段と、
を備えることを特徴とする。
【発明の効果】
【０００７】
本発明によれば、ライフログの利用性をより高めることができる。
【図面の簡単な説明】
【０００８】
【図１】本発明の電子機器の一実施形態としてのリスト端末の構成を示す図であり、図１（Ａ）は外観構成図、図１（Ｂ）は、ハードウェア構成を示すブロック図である。
【図２】図１のリスト端末の機能的構成のうち、ログ情報生成処理及びログ情報表示処理を実行するための機能的構成を示す機能ブロック図である。
【図３】撮像トリガ条件の一例を示すユーザの行動の一例を示す模式図である。
【図４】図２の機能的構成を有する図１のリスト端末が実行するログ情報生成処理の流れを説明するフローチャートである。
【図５】図２の機能的構成を有する図１のリスト端末が実行するログ情報表示処理の流れを説明するフローチャートである。
【発明を実施するための形態】
【０００９】
以下、本発明の実施形態について、図面を用いて説明する。
【００１０】
［ハードウェア構成］
図１は、本発明の電子機器の一実施形態としてのリスト端末１の構成を示す図であり、図１（Ａ）は外観構成図、図１（Ｂ）は、ハードウェア構成を示すブロック図である。
リスト端末１は、腕時計型に構成され、スマートフォンに類する機能を備えた電子機器である。
図１に示すように、リスト端末１は、制御部１１と、センサユニット１２と、入力部１３と、ＬＣＤ（Ｌｉｑｕｉｄ  Ｃｒｙｓｔａｌ  Ｄｉｓｐｌａｙ）１４と、時計回路１５と、ＲＯＭ（Ｒｅａｄ  Ｏｎｌｙ  Ｍｅｍｏｒｙ）１６と、ＲＡＭ（Ｒｅａｄ  Ａｃｃｅｓｓ  Ｍｅｍｏｒｙ）１７と、ＧＰＳ（Ｇｌｏｂａｌ  Ｐｏｓｉｔｉｏｎｉｎｇ  Ｓｙｓｔｅｍ）アンテナ１８と、ＧＰＳモジュール１９と、無線通信用アンテナ２０と、無線通信モジュール２１と、撮像部２２と、ドライブ２３とを備えている。
【００１１】
制御部１１は、ＣＰＵ（Ｃｅｎｔｒａｌ  Ｐｒｏｃｅｓｓｉｎｇ  Ｕｎｉｔ）等の演算処理装置によって構成され、リスト端末１全体の動作を制御する。例えば、制御部１１は、後述するログ情報生成処理及びログ情報表示処理のためのプログラム等、ＲＯＭ１６に記録されているプログラムに従って各種の処理を実行する。
センサユニット１２は、３軸加速度センサ、磁気センサ、気圧センサあるいは気温センサ等の各種センサを備えている。
【００１２】
入力部１３は、各種釦やＬＣＤ１４の表示領域に積層される静電容量式または抵抗膜式の位置入力センサ等で構成され、ユーザの指示操作に応じて各種情報を入力する。
ＬＣＤ１４は、制御部１１の指示に従って画像を出力する。例えば、ＬＣＤ１４は、各種画像やユーザインターフェースの画面を表示する。本実施形態においては、ＬＣＤ１４に入力部１３の位置入力センサが重畳して配置され、タッチパネルが構成されている。
時計回路１５は、システムクロックあるいは発振器により生成される信号から時刻信号を生成し、現在時刻（年月日及び時分秒）を出力する。
【００１３】
ＲＯＭ１６は、制御部１１で実行される制御プログラム等の情報を格納する。
ＲＡＭ（メモリ）１７は、制御部１１が各種処理を実行する際のワークエリアを提供する。
ＧＰＳアンテナ１８は、ＧＰＳにおける衛星から発信される電波を受信して電気信号に変換し、変換した電気信号（以下、「ＧＰＳ信号」と称する。）をＧＰＳモジュール１９に出力する。
ＧＰＳモジュール１９は、ＧＰＳアンテナ１８から入力されたＧＰＳ信号に基づいて、リスト端末１の位置（緯度、経度、高度）及びＧＰＳによって示される現在時刻を検出する。また、ＧＰＳモジュール１９は、検出した位置及び現在時刻（年月日及び時分秒）を示す情報を制御部１１に出力する。
【００１４】
無線通信用アンテナ２０は、無線通信モジュール２１によって利用される無線通信に対応した周波数の電波を受信可能なアンテナであり、例えばループアンテナやロッドアンテナによって構成される。無線通信用アンテナ２０は、無線通信モジュール２１から入力された無線通信の電気信号を電磁波として送信したり、受信した電磁波を電気信号に変換して無線通信モジュール２１に出力したりする。
無線通信モジュール２１は、制御部１１の指示に従って、無線通信用アンテナ２０を介して他の装置に信号を送信する。また、無線通信モジュール２１は、他の装置から送信された信号を受信し、受信した信号が示す情報を制御部１１に出力する。
【００１５】
撮像部２２は、図示はしないが、光学レンズ部と、イメージセンサと、を備えている。なお、撮像部２２は、リスト端末１のＬＣＤ１４を囲む枠の所定の位置に設置され、光軸がＬＣＤ１４の表示面に対して略垂直となるように設置されている。この撮像部２２は、ユーザの操作によって各種被写体の画像を撮像するデジタルカメラとして、汎用の目的で使用することができる。ただし、後述するログ情報生成処理においては、ユーザの顔の画像を自動的に撮像するライフログカメラとして機能する。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部２２の出力信号として出力される。
このような撮像部２２の出力信号を、以下、「撮像画像のデータ」と呼ぶ。撮像画像のデータは、制御部１１等に適宜供給される。
【００１８】
ドライブ２３には、磁気ディスク、光ディスク、光磁気ディスク、あるいは半導体メモリ（例えばフラッシュメモリ）等よりなる、リムーバブルメディア３１が適宜装着される。リムーバブルメディア３１は、画像のデータやライフログのデータ等、各種データを記憶することができる。
【００１９】
［機能的構成］
次に、リスト端末１の機能的構成について説明する。
図２は、リスト端末１の機能的構成のうち、ログ情報生成処理及びログ情報表示処理を実行するための機能的構成を示す機能ブロック図である。
ログ情報生成処理とは、ユーザの動作が予め設定された撮像のトリガとなる動作であると判定された場合に、ユーザの顔の画像を撮像し、画像を解析して表情を特定した後、その画像及び表情を示す情報を他のライフログ情報と対応付けて記憶する一連の処理である。また、ログ情報表示処理とは、ログ情報生成処理によって生成されたライフログ情報をユーザの操作あるいは予め設定されたタイミングで表示する一連の処理である。
【００２０】
ログ情報生成処理及びログ情報表示処理が実行される場合、図２に示すように、制御部１１において、センサ情報取得部５１と、位置情報取得部５２と、アプリケーション管理部５３と、撮像制御部５４と、解析部５５と、トリガ判定部５６と、ログ情報取得部５７と、表示制御部５８とが機能する。
また、ＲＯＭ１６の一領域には、ライフログ記憶部７１が設定される。
ライフログ記憶部７１には、ユーザのライフログ情報が蓄積して記憶される。なお、ライフログ記憶部７１は、ＲＡＭ１７あるいはドライブ２３に装着されたリムーバブルメディア３１に設定することとしてもよい。
【００２１】
センサ情報取得部５１は、センサユニット１２に備えられた各種センサによって検出される各種データを所定時間（例えば１秒）毎に取得する。
位置情報取得部５２は、ＧＰＳモジュール１９によって検出された位置を示す情報を所定時間（例えば１秒）毎に取得する。
アプリケーション管理部５３は、リスト端末１にインストールされている各種アプリケーションの起動、終了及び動作状態の管理を行う。例えば、アプリケーション管理部は、ユーザがライフログ情報をＳＮＳ（Ｓｏｃｉａｌ  Ｎｅｔｗｏｒｋｉｎｇ  Ｓｅｒｖｉｃｅ）にアップロードする際に用いるＳＮＳとの連携アプリケーション、メールの送受信を行うメールアプリケーションあるいはスケジュール管理を行うためのスケジュール管理アプリケーション等の起動、終了及び動作状態を管理する。
【００２２】
撮像制御部５４は、撮像部２２における撮像の実行を制御する。例えば、撮像制御部５４は、トリガ判定部５６から撮像の実行が指示された場合、画角を広角に設定し、ユーザの顔が画角内に含まれるように撮像を実行する。
解析部５５は、撮像された画像において、被写体に含まれる顔の画像を解析し、顔の表情を特定する。例えば、解析部５５は、被写体に含まれる顔の画像が、「笑顔」、「通常」、「怒っている」、「浮かない」等の予め設定された分類において、いずれに該当するかを特定する。なお、顔の画像を分類する際には、各表情のモデルデータとマッチングを行い、最も近い表情に分類すること等が可能である。
【００２３】
トリガ判定部５６は、ユーザの行動が、ユーザの顔の画像を撮像するための条件（以下、「撮像トリガ条件」と呼ぶ。）に合致しているか否かを判定する。撮像トリガ条件として、ユーザがリスト端末１の画面を視認したと推定される動作を定義することができる。そして、トリガ判定部５６は、ユーザの行動が撮像トリガ条件に合致していると判定した場合、撮像制御部５４に対して、撮像の実行を指示する。
【００２４】
図３は、撮像トリガ条件の一例を示すユーザの行動の一例を示す模式図である。
図３に示すように、ユーザが腕を自然に伸ばした状態から顔付近に持ち上げるパターンの動作は、３軸方向の加速度の大きさ及び移動距離等から検出することができる。図３に示す動作は、ユーザがリスト端末１の画面を視認したと推定される動作であり、この場合、リスト端末１の表示面とユーザの顔が略対向する状態となる。そのため、図３に示す動作が検出されたタイミングで、ライフログ情報としてユーザの顔の画像を撮像することにより、ユーザの自然な表情を適切なタイミングで撮像することができる。
【００２５】
図２に戻り、ログ情報取得部５７は、トリガ判定部５６によってユーザの行動が撮像トリガ条件に合致していると判定された場合に、撮像される顔の画像及びその表情を表す情報と、撮像される顔の画像に対応付けて記憶する他のライフログ情報とを取得する。具体的には、ログ情報取得部５７は、他のライフログ情報として、センサ情報取得部５１によって取得された各種センサのデータ、位置情報取得部５２によって取得された位置を示す情報及び現在時刻（年月日及び時分秒）の情報を取得する。そして、ログ情報取得部５７は、取得したライフログ情報をライフログ記憶部７１に記憶する。
【００２６】
表示制御部５８は、ユーザの操作がライフログを表示するための操作であるか否か、及び、ライフログを表示するタイミングとして予め設定されている条件に合致したか否かを判定する。そして、表示制御部５８は、ユーザの操作がライフログを表示するための操作であると判定した場合、あるいは、ライフログを表示するタイミングとして予め設定されている条件に合致したと判定した場合、ユーザの顔の画像及びその表情を表す情報を他のライフログ情報と対応付けて、ＬＣＤ１４に表示する。
【００２７】
このとき行われるユーザの操作としては、所望の日時を指定して、表情を確認したり、特定の表情を指定して、その表情になった日時の顔の画像を確認したりすること等が可能である。
また、ライフログを表示するタイミングとして予め設定されている条件については、例えば、１日の終了時として設定されている時刻（例えば、２２時等）、過去の複数の日にちにおいて、ユーザが特定の表情（「怒っている」、「浮かない」あるいは「笑顔」等のいずれか）となった時刻、自動的に所定時間毎に特定の表情（「怒っている」等）となったか否かを通知するための時刻等、時刻についての条件を設定することができる。なお、ユーザの顔を撮像した際に、ユーザの顔が特定の表情となっている場合には、特定の表情であることを直ちに表示するように条件を設定してもよい。
【００２８】
［動作］
次に、動作を説明する。
図４は、図２の機能的構成を有する図１のリスト端末１が実行するログ情報生成処理の流れを説明するフローチャートである。
ログ情報生成処理は、ユーザによる入力部１３へのログ情報生成処理開始の操作により開始され、処理の終了が指示されるまで繰り返し実行される。
【００２９】
ステップＳ１において、位置情報取得部５２は、ＧＰＳモジュール１９によって検出された位置を示す情報を所定時間（例えば１秒）毎に取得する。
ステップＳ２において、センサ情報取得部５１は、センサユニット１２に備えられた各種センサによって検出される各種データ（センサ情報）を所定時間（例えば１秒）毎に取得する。
【００３０】
ステップＳ３において、トリガ判定部５６は、ユーザの行動が、撮像トリガ条件に合致しているか否かの判定を行う。
ユーザの行動が、撮像トリガ条件に合致している場合、ステップＳ３においてＹＥＳと判定されて、処理はステップＳ４に移行する。
一方、ユーザの行動が、撮像トリガ条件に合致していない場合、ステップＳ３においてＮＯと判定されて、ログ情報生成処理が繰り返される。
【００３１】
ステップＳ４において、トリガ判定部５６は、撮像制御部５４に対して、撮像の実行を指示する。
ステップＳ５において、撮像制御部５４は、画角を広角に設定して撮像を実行する。これにより、ユーザの顔を被写体に含む画像が撮像される。
【００３２】
ステップＳ６において、解析部５５は、撮像された画像において、被写体に含まれる顔の画像を解析し、顔の表情を特定する。これにより、撮像されたユーザの顔の表情を表す情報が取得される。
【００３３】
ステップＳ７において、ログ情報取得部５７は、撮像された顔の画像及びその表情を表す情報と、撮像される顔の画像に対応付けて記憶する他のライフログ情報（各種センサのデータ、位置情報及び現在時刻等）とを取得し、ライフログ記憶部７１に記憶する。
ステップＳ７の後、ログ情報生成処理が繰り返される。
【００３４】
次に、ログ情報表示処理について説明する。
図５は、図２の機能的構成を有する図１のリスト端末１が実行するログ情報表示処理の流れを説明するフローチャートである。
ログ情報表示処理は、ユーザによる入力部１３へのログ情報表示処理開始の操作により開始される。
ステップＳ２１において、表示制御部５８は、ユーザの操作がライフログを表示するための操作であるか否かの判定を行う。
ユーザの操作がライフログを表示するための操作でない場合、ステップＳ２１においてＮＯと判定されて、処理はステップＳ２２に移行する。
一方、ユーザの操作がライフログを表示するための操作である場合、ステップＳ２１においてＹＥＳと判定されて、処理はステップＳ２３に移行する。
【００３５】
ステップＳ２２において、表示制御部５８は、ライフログを表示するタイミングとして予め設定されている条件に合致したか否かの判定を行う。
ライフログを表示するタイミングとして予め設定されている条件に合致していない場合、ステップＳ２２においてＮＯと判定されて、処理はステップＳ２１に移行する。
一方、ライフログを表示するタイミングとして予め設定されている条件に合致した場合、ステップＳ２２においてＹＥＳと判定されて、処理はステップＳ２３に移行する。
ステップＳ２３において、表示制御部５８は、ユーザの顔が撮像された画像と、その顔の表情を表す情報と、他のライフログ情報（例えば、位置情報）とを対応付けて、ＬＣＤ１４に表示する。このとき、地図データに重畳して、位置情報が示す位置に各ライフログ情報を表示することとしてもよい。
ステップＳ２３の後、ログ情報表示処理が繰り返される。
【００３６】
このような処理により、ユーザがリスト端末１を視認する動作を行うと、その時のユーザの顔が自動的に撮影され、撮影日時と対応付けて、その時のユーザの顔の画像や顔の表情を表す情報及び他のライフログ情報が記憶される。
したがって、リスト端末１を見るという、ユーザが日常的に頻繁かつ無意識に行っている動作を利用して、その時のユーザ自身の顔を自動的に撮像し、顔の画像及び顔の表情の情報を記憶できるため、ユーザ自身が気づき難い自らの表情も日時と共に記憶可能なライフログカメラを実現することができる。
【００３７】
また、ユーザ自らがカメラで表情を撮影する行為を行ったり、他人に撮影してもらったりすることが不要となる。
さらに、連続的に風景を撮影し続ける場合に比べ、消費電力を抑制することができる。
また、怒った顔、しかめ面、元気のない顔、愛想の良い顔または悪い顔等、自分がどのような表情をしていたのか、どのような感情を表していたのか等を容易に確認できるため、ユーザ自身が気づき難い自分自身のストレス度合や、疲れ具合、体調、感情、心身の緊張等を、簡単にチェックすることができる。さらに、他人に対する礼儀、マナー、姿勢、笑顔等を維持したり、顧客へのホスピタリティ（歓待、おもてなし）や対人関係等を改善する機会を得たりすることができる。
即ち、リスト端末１によれば、ライフログの利用性をより高めることができる。
【００３８】
［第２実施形態］
次に、本発明の第２実施形態について説明する。
第２実施形態に係るリスト端末１は、図１の第１実施形態に係るリスト端末１のハードウェア構成において、センサユニット１２に生体センサをさらに備えている。また、第２実施形態においては、トリガ判定部５６、ログ情報取得部５７及び表示制御部５８の機能的構成、ログ情報生成処理及びログ情報表示処理の一部が第１実施形態と異なっている。
以下、第１実施形態と異なる部分について、主として説明する。
【００３９】
［構成］
本実施形態に係るリスト端末１のハードウェア構成において、センサユニット１２は、３軸加速度センサ、磁気センサ、気圧センサ、気温センサあるいは生体センサ等の各種センサを備えている。本実施形態において、生体センサは、体温、心拍数あるいは血圧等、リスト端末１によって検出可能な生体情報を検出する。
【００４０】
本実施形態に係るリスト端末１の機能的構成において、トリガ判定部５６は、ユーザの行動が、撮像トリガ条件に合致しているか否かを判定する。本実施形態においては、撮像トリガ条件として、ユーザがリスト端末１の画面を視認したと推定される動作が行われ、かつ、生体センサによって検出される生体情報が予め設定された条件に合致している場合を定義することができる。即ち、撮像トリガ条件として、ユーザが腕を自然に伸ばした状態から顔付近に持ち上げるパターンの動作を行い（図３参照）、かつ、検出された生体情報が所定範囲内（または所定範囲外）である場合に撮像が行われる設定とすることができる。そして、トリガ判定部５６は、ユーザの行動が撮像トリガ条件に合致していると判定した場合、撮像制御部５４に対して、撮像の実行を指示する。
【００４１】
ログ情報取得部５７は、トリガ判定部５６によってユーザの行動が撮像トリガ条件に合致していると判定された場合に、撮像される顔の画像及びその表情を表す情報と、撮像される顔の画像に対応付けて記憶する他のライフログ情報とを取得する。具体的には、ログ情報取得部５７は、他のライフログ情報として、センサ情報取得部５１によって取得された各種センサのデータ、位置情報取得部５２によって取得された位置を示す情報及び現在時刻（年月日及び時分秒）の情報を取得する。このとき取得される各種センサのデータとして、本実施形態においては、生体センサによって検出された生体情報が含まれている。そして、ログ情報取得部５７は、取得したライフログ情報をライフログ記憶部７１に記憶する。
【００４２】
表示制御部５８は、ユーザの操作がライフログを表示するための操作であるか否か、及び、ライフログを表示するタイミングとして予め設定されている条件に合致したか否かを判定する。そして、表示制御部５８は、ユーザの操作がライフログを表示するための操作であると判定した場合、あるいは、ライフログを表示するタイミングとして予め設定されている条件に合致したと判定した場合、ユーザの顔の画像及びその表情を表す情報を他のライフログ情報と対応付けて、ＬＣＤ１４に表示する。本実施形態においては、他のライフログ情報として、ユーザの顔の画像が撮像された際に生体センサによって検出された生体情報が含まれている。
【００４３】
［動作］
本実施形態に係るリスト端末１が実行するログ情報生成処理において、ステップＳ１，Ｓ２及びＳ４〜Ｓ６の処理は、図４の第１実施形態における場合と同様である。
ステップＳ３において、トリガ判定部５６は、ユーザの行動が、撮像トリガ条件に合致しているか否かの判定を行う。本実施形態においては、撮像トリガ条件として、ユーザがリスト端末１の画面を視認したと推定される動作が行われ、かつ、生体センサによって検出される生体情報が予め設定された条件に合致しているか否かが判定される。
ステップＳ７において、ログ情報取得部５７は、撮像された顔の画像及びその表情を表す情報と、撮像される顔の画像に対応付けて記憶する他のライフログ情報（各種センサのデータ、位置情報及び現在時刻等）とを取得し、ライフログ記憶部７１に記憶する。本実施形態においては、撮像される顔の画像に対応付けて記憶する他のライフログ情報として、顔の画像が撮像された際に生体センサによって検出された生体情報が含まれている。
【００４４】
本実施形態に係るリスト端末１が実行するログ情報表示処理において、ステップＳ２１及びステップＳ２２の処理は、図５の第１実施形態における場合と同様である。
ステップＳ２３において、表示制御部５８は、ユーザの顔が撮像された画像と、その顔の表情を表す情報と、他のライフログ情報（例えば、位置情報）とを対応付けて、ＬＣＤ１４に表示する。このとき、地図データに重畳して、位置情報が示す位置に各ライフログ情報を表示することとしてもよい。本実施形態においては、他のライフログ情報として、顔の画像が撮像された際に生体センサによって検出された生体情報が含まれ、顔の画像及び顔の表情を表す情報と共に表示される。
【００４５】
このような処理により、ユーザがリスト端末１を視認する動作を行うと、その時のユーザの顔が自動的に撮影され、撮影日時と対応付けて、その時のユーザの顔の画像や顔の表情を表す情報及び生体情報を含む他のライフログ情報が記憶される。
したがって、顔の画像が撮像された時の心拍等、検出された生体情報を顔の画像や顔の表情を表す情報と対応付けて、併せて表示することで、顔の表情等及び生体情報が示す心身状態やその原因等を、より深く理解したり、詳しく分析したりできる。
【００４６】
［第３実施形態］
次に、本発明の第３実施形態について説明する。
第３実施形態に係るリスト端末１は、図１の第１実施形態に係るリスト端末１のハードウェア構成と同様である。一方、第３実施形態においては、トリガ判定部５６、ログ情報取得部５７及び表示制御部５８の機能的構成、ログ情報生成処理及びログ情報表示処理の一部が第１実施形態と異なっている。
以下、第１実施形態と異なる部分について、主として説明する。
【００４７】
［構成］
本実施形態に係るリスト端末１の機能的構成において、トリガ判定部５６は、ユーザの行動が、撮像トリガ条件に合致しているか否かを判定する。撮像トリガ条件として、ユーザがリスト端末１の画面を視認したと推定される動作を定義することができる。本実施形態においては、撮像トリガ条件として、ユーザが腕を自然に伸ばした状態から顔付近に持ち上げるパターンの動作を行った場合（図３参照）、あるいは、ユーザがアプリケーションの操作を行った場合（例えば、スケジュールの確認、予定時刻の報知の確認、報知音の停止等の操作を行った場合）に撮像が行われる設定とすることができる。そして、トリガ判定部５６は、ユーザの行動が撮像トリガ条件に合致していると判定した場合、撮像制御部５４に対して、撮像の実行を指示する。
【００４８】
ログ情報取得部５７は、トリガ判定部５６によってユーザの行動が撮像トリガ条件に合致していると判定された場合に、撮像される顔の画像及びその表情を表す情報と、撮像される顔の画像に対応付けて記憶する他のライフログ情報とを取得する。具体的には、ログ情報取得部５７は、他のライフログ情報として、アプリケーション管理部５３によって管理されている各種アプリケーションのデータ、位置情報取得部５２によって取得された位置を示す情報及び現在時刻（年月日及び時分秒）の情報を取得する。このとき取得される各種アプリケーションのデータとして、本実施形態においては、ユーザの顔の画像が撮像された時刻の前後のスケジュールに関する用件の内容や項目（例えば、日時、曜日、時間帯、場所、相手や顧客、用件名や用件の種類等）が含まれている。そして、ログ情報取得部５７は、取得したライフログ情報をライフログ記憶部７１に記憶する。
【００４９】
表示制御部５８は、ユーザの操作がライフログを表示するための操作であるか否か、及び、ライフログを表示するタイミングとして予め設定されている条件に合致したか否かを判定する。そして、表示制御部５８は、ユーザの操作がライフログを表示するための操作であると判定した場合、あるいは、ライフログを表示するタイミングとして予め設定されている条件に合致したと判定した場合、ユーザの顔の画像及びその表情を表す情報を他のライフログ情報と対応付けて、ＬＣＤ１４に表示する。本実施形態においては、他のライフログ情報として、各種アプリケーションのデータ（即ち、ユーザの顔の画像が撮像された時刻の前後のスケジュールに関する用件の内容や項目）が含まれている。
【００５０】
［動作］
本実施形態に係るリスト端末１が実行するログ情報生成処理において、ステップＳ１，Ｓ２及びＳ４〜Ｓ６の処理は、図４の第１実施形態における場合と同様である。
ステップＳ３において、トリガ判定部５６は、ユーザの行動が、撮像トリガ条件に合致しているか否かの判定を行う。本実施形態においては、撮像トリガ条件として、ユーザが腕を自然に伸ばした状態から顔付近に持ち上げるパターンの動作を行ったか否か（図３参照）、あるいは、ユーザがアプリケーションの操作を行ったか否かが判定される。
ステップＳ７において、ログ情報取得部５７は、撮像された顔の画像及びその表情を表す情報と、撮像される顔の画像に対応付けて記憶する他のライフログ情報（各種センサのデータ、位置情報及び現在時刻等）とを取得し、ライフログ記憶部７１に記憶する。本実施形態においては、撮像される顔の画像に対応付けて記憶する他のライフログ情報として、各種アプリケーションのデータ（顔の画像が撮像された時刻の前後のスケジュールに関する用件の内容や項目）が含まれている。
【００５１】
本実施形態に係るリスト端末１が実行するログ情報表示処理において、ステップＳ２１及びステップＳ２２の処理は、図５の第１実施形態における場合と同様である。
ステップＳ２３において、表示制御部５８は、ユーザの顔が撮像された画像と、その顔の表情を表す情報と、他のライフログ情報（例えば、位置情報）とを対応付けて、ＬＣＤ１４に表示する。このとき、地図データに重畳して、位置情報が示す位置に各ライフログ情報を表示することとしてもよい。本実施形態においては、他のライフログ情報として、各種アプリケーションのデータ（顔の画像が撮像された時刻の前後のスケジュールに関する用件の内容や項目）が含まれ、顔の画像及び顔の表情を表す情報と共に表示される。
【００５２】
このような処理により、ユーザがリスト端末１を視認する動作を行うと、その時のユーザの顔が自動的に撮影され、撮影日時と対応付けて、その時のユーザの顔の画像や顔の表情を表す情報及び各種アプリケーションのデータを含む他のライフログ情報が記憶される。
したがって、用件やメッセージ、情報等の内容や、相手、時間帯、場所等の相違により、表情や反応の違いがあったか否かを確認することができ、ユーザ自身が気づき難い対象や相手への感情あるいは好き嫌い、ストレス、癖等に気づくことができる。
【００５３】
［変形例１］
上述の各実施形態において、撮像トリガ条件に、ユーザの顔が特定の表情（例えば、「怒っている」あるいは「しかめ面」等）である場合のみ、ユーザの顔の画像を撮像するという条件を加え、この条件を充足して撮像された顔の画像をライフログ情報として記憶することとしてもよい。
この場合、第１実施形態においては、ユーザがリスト端末１の画面を視認したと推定される動作を行い、かつ、その時の表情が特定の表情である場合に、ユーザの顔の画像が撮像される。
また、第２実施形態においては、ユーザがリスト端末１の画面を視認したと推定される動作が行われ、かつ、生体センサによって検出される生体情報が予め設定された条件に合致し、かつ、その時の表情が特定の表情である場合に、ユーザの顔の画像が撮像される。
さらに、第３実施形態においては、ユーザがリスト端末１の画面を視認したと推定される動作が行われ、かつ、その時の表情が特定の表情である場合に、ユーザの顔の画像が撮像される。
これにより、ユーザが特に注意している顔の表情等になっているタイミングを選択して、ライフログ情報として記憶することができる。
【００５４】
［変形例２］
上述の各実施形態において、ユーザの生活リズムの中で、同様の表情が検出される状況（毎日の同じ時刻、同じ相手からのメールの受信、同じ内容のスケジュールの前等）で、ユーザの気分を誘導する（気分を高揚させる、あるいは、気分を落ち着かせる等）ための処理を行ってもよい。例えば、スケジュールを通知するための報知音を、気分を高揚させる効果の高いものとしたり、表示画面をリラックス効果の高い色や背景としたりすることができる。
これにより、ライフログに基づいて、ユーザの行動がより適切なものとなるよう促すことができる。
【００５５】
［変形例３］
上述の各実施形態において、撮像トリガ条件として、ユーザがリスト端末１の画面を視認したと推定される動作を検出することに代えて、あるいは、ユーザがリスト端末１の画面を視認したと推定される動作を検出することに加えて、撮像部２２が連続的に（所定時間間隔で継続して）ライブビュー画像の撮像を行い、ライブビュー画像において顔が認識された場合に、ライフログのための撮像を行うこととしてもよい。
これにより、ユーザの顔が確実に撮像できる状況において、ユーザの顔の画像をライフログ情報として撮像することができる。
【００５６】
［変形例４］
第２実施形態において、撮像トリガ条件に、生体センサによって検出された生体情報が所定の条件（心拍数が閾値より高い、血圧が閾値より低い等）に合致している場合のみ、ユーザの顔の画像を撮像するという条件を加え、この条件を充足して撮像された顔の画像をライフログ情報として記憶することとしてもよい。
これにより、生体情報が所定の条件となっている時の顔の画像を選択して撮像し、ライフログ情報として記憶することができる。
【００５７】
［変形例６］
第３実施形態において、撮像トリガ条件に、アプリケーション管理部５３によって管理されているアプリケーションの状態が所定条件（次のスケジュールが会議である時、特定の相手からのメールを見たとき等）に合致している場合のみ、ユーザの顔の画像を撮像するという条件を加え、この条件を充足して撮像された顔の画像をライフログ情報として記憶することとしてもよい。
これにより、アプリケーション管理部５３によって管理可能な各種イベントのうち、ユーザが特に注目しているものに対する顔の画像を選択して、ライフログ情報として記憶することができる。
【００５８】
［変形例７］
第３実施形態において、ユーザによるアプリケーションの操作が検出された際に、その時の表情が特定の表情である場合、以降、同様の操作が行われるときのアプリケーションの動作を、検出された表情に応じて変更することとしてもよい。例えば、メールやメッセージの着信に対する操作において、ユーザが特定の表情であると判定された場合に、以降のメールやメッセージの着信の通知や報知の方法を、それに応じて変更すること等が可能である。
変更されるアプリケーションの動作としては、着信の通知メッセージの内容、通知のために用いる画像、通知メッセージの長さ、表示色、通知のためのアニメーション表示、通知のためのキャラクタの顔、声色等を設定することが可能である。
また、着信の通知音を出力する時間や通知メッセージを表示する時間、音声の速度、１日の通知回数、通知頻度や着信を確認する間隔、一度に通知する件数、通知する時刻、通知のためのバイブレーションの種類、通知メロディの種類、通知する時間帯、通知音等を禁止する時間帯等を設定することも可能である。
これにより、ライフログに基づいて、ユーザが特定のアプリケーションの操作を行う際に、ユーザにとってより使いやすいものとすることができる。
【００５９】
以上のように構成されるリスト端末１は、ＬＣＤ１４と、撮像部２２と、トリガ判定部５６と、撮像制御部５４と、ログ情報取得部５７とを備える。
リスト端末１は、ユーザの身体に装着して使用される。
ＬＣＤ１４は、情報を表示する。
撮像部２２は、撮像する。
トリガ判定部５６は、ユーザがＬＣＤ１４を視認したと推定される動作を行ったか否かを判定する。
撮像制御部５４は、トリガ判定部５６によって、ユーザがＬＣＤ１４を視認したと推定される動作を行ったと判定された場合に、撮像部２２によって記録用画像を撮像させる。
ログ情報取得部５７は、予め設定されたライフログ情報を取得し、当該ライフログ情報と記録用画像とを対応付けて記憶する。
これにより、ユーザがリスト端末１を視認する動作を行うと、その時のユーザの顔が自動的に撮影され、その時のユーザの顔の画像や顔の表情を表す情報及び予め設定されたライフログ情報が記憶される。
したがって、リスト端末１を見るという、ユーザが日常的に頻繁かつ無意識に行っている動作を利用して、その時のユーザ自身の顔を自動的に撮像し、顔の画像及び顔の表情の情報を記憶できるため、ユーザ自身が気づき難い自らの表情も日時と共に記憶可能なライフログカメラを実現することができる。
また、ユーザ自らがカメラで表情を撮影する行為を行ったり、他人に撮影してもらったりすることが不要となる。
さらに、連続的に風景を撮影し続ける場合に比べ、消費電力を抑制することができる。
即ち、リスト端末１によれば、ライフログの利用性をより高めることができる。
【００６０】
また、リスト端末１は、解析部５５を備える。
解析部５５は、記録用画像に含まれるユーザの表情を解析する。
これにより、怒った顔、しかめ面、元気のない顔、愛想の良い顔または悪い顔等、自分がどのような表情をしていたのか、どのような感情を表していたのか等を容易に確認できるため、ユーザ自身が気づき難い自分自身のストレス度合や、疲れ具合、体調、感情、心身の緊張等を、簡単にチェックすることができる。さらに、他人に対する礼儀、マナー、姿勢、笑顔等を維持したり、顧客へのホスピタリティ（歓待、おもてなし）や対人関係等を改善する機会を得たりすることができる。
【００６１】
また、リスト端末１は、センサユニット１２を備える。
センサユニット１２は、自装置における物理量を検出する。
トリガ判定部５６は、センサユニット１２の検出結果に基づいて、ユーザがＬＣＤ１４を視認したと推定される動作を行ったか否かを判定する。
これにより、リスト端末１を見る腕の動作を利用して、その時のユーザ自身の顔を自動的に撮像することができる。
【００６２】
また、センサユニット１２は、自装置が装着されたユーザの生体情報を検出する。
ログ情報取得部５７は、予め設定されたライフログ情報として、センサユニット１２によって検出された生体情報を取得する。
これにより、顔の画像が撮像された時に検出された生体情報を顔の画像や顔の表情を表す情報と対応付けて記憶することができる。
そのため、顔の表情等及び生体情報が示す心身状態やその原因等を、より深く理解したり、詳しく分析したりできる。
【００６３】
また、トリガ判定部５６は、センサユニット１２によって検出された生体情報が予め設定された生体情報の条件に合致するか否かをさらに判定する。
撮像制御部５４は、トリガ判定部５６によって、生体情報が予め設定された生体情報の条件に合致すると判定された場合に、撮像部２２によって記録用画像を撮像させる。
ログ情報取得部５７は、トリガ判定部５６によって、生体情報が予め設定された生体情報の条件に合致すると判定された場合に、予め設定されたライフログ情報として、センサユニット１２によって検出された生体情報を取得する。
これにより、生体情報が所定の条件となっている時の顔の画像を選択して撮像し、ライフログ情報として記憶することができる。
【００６４】
また、リスト端末１は、アプリケーション管理部５３を備える。
アプリケーション管理部５３は、実行されるアプリケーションを管理する。
トリガ判定部５６は、アプリケーション管理部５３によって管理されているアプリケーションの状態に基づいて、ユーザがＬＣＤ１４を視認したと推定される動作を行ったか否かを判定する。
これにより、ユーザによるアプリケーションの操作が行われ、ユーザがリスト端末１を視認している可能性が高い状態において、ユーザの顔の画像を撮像することができる。
【００６５】
また、ログ情報取得部５７は、トリガ判定部５６によって、ユーザがＬＣＤ１４を視認したと推定される動作を行ったと判定された場合に、予め設定されたライフログ情報として、アプリケーションに関する情報を取得する。
これにより、ユーザがアプリケーションを使用する際に、自らがどのような顔の表情をしているかを確認することができる。
【００６６】
また、トリガ判定部５６は、アプリケーション管理部５３によって管理されているアプリケーションの状態が予め設定されたアプリケーションの条件に合致するか否かをさらに判定する。
撮像制御部５４は、トリガ判定部５６によって、アプリケーションの状態が予め設定されたアプリケーションの条件に合致すると判定された場合に、撮像部２２によってライフログのための画像を撮像する。
ログ情報取得部５７は、トリガ判定部５６によって、アプリケーションの状態が予め設定されたアプリケーションの条件に合致すると判定された場合に、予め設定されたライフログ情報として、アプリケーションに関する情報を取得する。
これにより、アプリケーション管理部５３によって管理可能な各種状態（イベント等）のうち、ユーザが特に注目しているものに対する顔の画像を選択して、ライフログ情報として記憶することができる。
【００６７】
なお、本発明は、上述の実施形態に限定されるものではなく、本発明の目的を達成できる範囲での変形、改良等は本発明に含まれるものである。
【００６８】
上述の実施形態では、撮像部２２は、表示面を囲む枠に設置されるものとして説明したが、これに限られない。即ち、撮像部２２は、表示面を視認するユーザの顔の画像を撮像できれば、いずれの位置に設置することも可能であり、例えば、表示面内等に設置することもできる。
【００６９】
また、上述の各実施形態及び各変形例に記載した機能の複数を組み合わせて、リスト端末１を構成することとしてもよい。
【００７０】
また、上述の実施形態では、本発明が適用される電子機器として、リスト端末を例として説明したが、特にこれに限定されない。
例えば、本発明は、身体に装着可能な電子機器一般に適用することができる。具体的には、例えば、本発明は、タブレット型端末、ビデオカメラ、携帯型ナビゲーション装置、携帯電話機、スマートフォン、ポータブルゲーム機等に適用可能である。
【００７１】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能がリスト端末１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００７２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７３】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１６等で構成される。
【００７４】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００７５】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００７６】
以下に、本願の出願当初の特許請求の範囲に記載された発明を付記する。
［付記１］
情報を表示する表示手段と、
撮像する撮像手段と、
ユーザが前記表示手段を視認したと推定される動作を行ったか否かを判定する判定手段と、
前記判定手段によって、ユーザが前記表示手段を視認したと推定される動作を行ったと判定された場合に、前記撮像手段によって記録用画像を撮像させる撮像制御手段と、
予め設定されたライフログ情報を取得し、当該ライフログ情報と前記記録用画像とを対応付けて記憶するログ情報取得手段と、
を備えることを特徴とする電子機器。
［付記２］
前記記録用画像に含まれる前記ユーザの表情を解析する解析手段をさらに備え、
前記ログ情報取得手段は、前記解析手段によって表情が解析された前記記録用画像と、前記表情を示す情報とを対応付けて記憶することを特徴とする付記１に記載の電子機器。
［付記３］
自装置における物理量を検出する物理量検出手段を備え、
前記判定手段は、前記物理量検出手段の検出結果に基づいて、ユーザが前記表示手段を視認したと推定される動作を行ったか否かを判定することを特徴とする付記１又は２に記載の電子機器。
［付記４］
自装置が装着されたユーザの生体情報を検出する生体情報検出手段を備え、
前記ログ情報取得手段は、前記予め設定されたライフログ情報として、前記生体情報検出手段によって検出された生体情報を取得することを特徴とする付記１から３のいずれか１つに記載の電子機器。
［付記５］
前記判定手段は、前記生体情報検出手段によって検出された前記生体情報が予め設定された生体情報の条件に合致するか否かをさらに判定し、
前記撮像制御手段は、前記判定手段によって、前記生体情報が前記予め設定された生体情報の条件に合致すると判定された場合に、前記撮像手段によって前記記録用画像を撮像させ、
前記ログ情報取得手段は、前記判定手段によって、前記生体情報が前記予め設定された生体情報の条件に合致すると判定された場合に、前記予め設定されたライフログ情報として、前記生体情報検出手段によって検出された生体情報を取得することを特徴とする付記４に記載の電子機器。
［付記６］
実行されるアプリケーションを管理するアプリケーション管理手段を備え、
前記判定手段は、前記アプリケーション管理手段によって管理されている前記アプリケーションの状態に基づいて、ユーザが前記表示手段を視認したと推定される動作を行ったか否かを判定することを特徴とする付記１から５のいずれか１つに記載の電子機器。
［付記７］
前記ログ情報取得手段は、前記判定手段によって、ユーザが前記表示手段を視認したと推定される動作を行ったと判定された場合に、前記予め設定されたライフログ情報として、前記アプリケーションに関する情報を取得することを特徴とする付記６に記載の電子機器。
［付記８］
前記判定手段は、前記アプリケーション管理手段によって管理されている前記アプリケーションの状態が予め設定されたアプリケーションの条件に合致するか否かをさらに判定し、
前記撮像制御手段は、前記判定手段によって、前記アプリケーションの状態が前記予め設定されたアプリケーションの条件に合致すると判定された場合に、前記撮像手段によってライフログのための画像を撮像し、
前記ログ情報取得手段は、前記判定手段によって、前記アプリケーションの状態が予め設定されたアプリケーションの条件に合致すると判定された場合に、前記予め設定されたライフログ情報として、前記アプリケーションに関する情報を取得することを特徴とする付記７に記載の電子機器。
［付記９］
情報を表示する表示手段と、撮像する撮像手段とを備え、ユーザの身体に装着して使用される電子機器における情報取得方法であって、
ユーザが前記表示手段を視認したと推定される動作を行ったか否かを判定する判定ステップと、
前記判定ステップにおいて、ユーザが前記表示手段を視認したと推定される動作を行ったと判定された場合に、前記撮像手段によって記録用画像を撮像する撮像制御ステップと、
前記判定ステップにおいて、ユーザが前記表示手段を視認したと推定される動作を行ったと判定された場合に、予め設定されたライフログ情報を取得し、前記記録用画像と対応付けて記憶するログ情報取得ステップと、
を含むことを特徴とする情報取得方法。
［付記１０］
情報を表示する表示手段と、撮像する撮像手段とを備え、ユーザの身体に装着して使用される電子機器を制御するコンピュータに、
ユーザが前記表示手段を視認したと推定される動作を行ったか否かを判定する判定機能と、
前記判定機能によって、ユーザが前記表示手段を視認したと推定される動作を行ったと判定された場合に、前記撮像手段によって記録用画像を撮像する撮像制御機能と、
前記判定機能によって、ユーザが前記表示手段を視認したと推定される動作を行ったと判定された場合に、予め設定されたライフログ情報を取得し、前記記録用画像と対応付けて記憶するログ情報取得機能と、
を実現させることを特徴とするプログラム。
【符号の説明】
【００７７】
１・・・表示装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・センサ情報取得部，５２・・・位置情報取得部，５３・・・アプリケーション管理部，５４・・・撮像制御部，５５・・・解析部，５６・・・トリガ判定部，５７・・・ログ情報取得部，５８・・・表示制御部，７１・・・ライフログ記憶部
【図１】
2016163145.tif 000003
【図２】
2016163145.tif 000004
【図３】
2016163145.tif 000005
【図４】
2016163145.tif 000006
【図５】
2016163145.tif 000007